(57)【要約】      （修正有）【課題】簡単な構造でカムアームをロック位置に保持して偶然的なカムアームの回動による不用意な第一連結部材及び第二連結部材の分離を長期間に亘り防止する。【解決手段】ロック部材４と係止部４ｂで係合したままカムアーム３を、ロック位置Ｐ２からロック解除位置Ｐ１に向け回動することに伴って、ロック部材４に同方向への強い外力が作用しても、板状のベース部４ａの長手方向と交差する基端面に設けられるストッパー部４ｃが第一連結部材１の表面に当接し、ベース部４ａはその厚み方向へ圧縮荷重を受けるだけで、ストッパー部４ｃの形状は変形せず、ロック部材４の全体を移動不能に固定するストッパーとして機能し続ける。【選択図】図１
2014047832.tif 000002
【特許請求の範囲】
【請求項１】
第一筒状部を有する第一連結部材と、
前記第一筒状部に挿入される第二筒状部を有する第二連結部材と、
前記第一連結部材に対しロック解除位置及びロック位置に亘って回動自在に設けられ、前記ロック解除位置にある時には前記第一筒状部に対し前記第二筒状部を軸方向へ移動可能にし、前記ロック位置にある時には前記第一筒状部に対し前記第二筒状部を軸方向へ移動不能に結合するカムアームと、
前記第一連結部材に対し前記カムアームと並んで設けられるロック部材と、を備え、
前記ロック部材は、板状のベース部と、前記ベース部の先端側に前記カムアームと前記ロック位置で係合して回動不能に保持するように設けられる係止部と、前記ベース部の長手方向と交差する基端面に前記第一連結部材と対向するように設けられるストッパー部を有し、前記ストッパー部が前記第一連結部材の表面に当接することで前記ベース部及び前記係止部を移動不能に固定させるようにしたことを特徴とするカムアーム式管継手のロック装置。
【請求項２】
前記ロック部材が、前記ベース部の先端側に前記係止部と対向して前記カムアームと離隔させる方向へ前記係止部を移動させる圧力部を有し、前記ロック部材に沿って、前記ベース部を前記カムアーム側に押圧する弾性手段が設けられることを特徴とする請求項１記載のカムアーム式管継手のロック装置。
【請求項３】
前記カムアームが、前記ロック位置において前記ロック部材を覆うように突出形成される平滑面部を有することを特徴とする請求項１又は２記載のカムアーム式管継手のロック装置。
【請求項４】
第一筒状部を有する第一連結部材と、
前記第一筒状部に挿入される第二筒状部を有する第二連結部材と、
前記第一連結部材に対しロック解除位置及びロック位置に亘って回動自在に設けられ、前記ロック解除位置にある時には前記第一筒状部に対し前記第二筒状部を軸方向へ移動可能にし、前記ロック位置にある時には前記第一筒状部に対し前記第二筒状部を軸方向へ移動不能に結合するカムアームと、を備えたカムアーム式管継手に対し、前記カムアームと並んで前記第一連結部材に着脱自在に取り付けられるロック部材であって、
前記ロック部材は、板状のベース部と、前記ベース部の先端側に前記カムアームと前記ロック位置で係合して回動不能に保持するように設けられる係止部と、前記ベース部の長手方向と交差する基端面に前記第一連結部材と対向するように設けられるストッパー部を有し、前記ストッパー部が前記第一連結部材の表面に当接することで前記ベース部及び前記係止部を移動不能に固定させるようにしたことを特徴とするロック部材。
【発明の詳細な説明】
【技術分野】
【０００１】
本発明は、雄形の連結部材と雌形の連結部材を着脱自在に結合するカムアーム式管継手（カップリング）において、カムアームを選択的にロック位置に固定するためのロック装置と、それに用いられるロック部材に関する。
【背景技術】
【０００２】
従来、この種のカムアーム式管継手のロック装置として、雌形の連結部材の対向外面から１対のピボット耳部が突出形成され、これらピボット耳部の間にカムアームと板状のロック部材を配置してピンが挿通されることにより、カムアーム及びロック部材が平行に枢着され、カムアームをロック位置とロック解除位置に亘って回動自在に支持するものがある。ロック部材は、そのベース部の一端部を折り曲げてストッパー面が形成され、このストッパー面を連結部材のピボット耳部に対して該ストッパー面の折り曲げ方向へ突き当てることで、ロック部材が回転不能に固定され、ベース部の他端にはカムアームの凹部と係合する突起を一体形成するとともに、カムアームの反対側から間隔を置いて圧力面が一体形成される。そして、カムアームをロック位置に回動させた時に、その凹部がロック部材の突起と係合することで、カムアームが回動不能に保持され、ロック位置にロックする。また、このロック状態において、圧力面をカムアームに向け押圧してロック部材のベース部を弾性変形させることにより、ベース部が弾性変形して突起がカムアームの凹部から外れ、カムアームをロック位置からロック解除位置に向け回動可能にしている（例えば、特許文献１参照）。
【先行技術文献】
【特許文献】
【０００３】
【特許文献１】米国特許第５７９１６９４号明細書
【発明の概要】
【発明が解決しようとする課題】
【０００４】
このような従来のカムアーム式管継手のロック装置では、ロック部材の一部を折り曲げ加工したストッパー面が、連結部材側に当接することで、ロック部材の回転移動が阻止され、圧力面の押圧によりロック部材を弾性変形させることで、カムアームとロック解除されるようにしている。
ところで、特に不慣れな作業者は、圧力面が押圧されずにロック部材とのロック解除が行われないまま、カムアームを回動させることが考えられる。この場合にはストッパー面に強い負荷がかかるため、ストッパー面が折り曲げ加工した方向と逆向きに変形しないように、ロック部材を変形し難い材料で形成することが好ましい。
しかし、カムアームとのロック解除をスムーズに行うためには、ロック部材を弾力性に優れた変形可能な材料で形成する必要がある。
つまり、ロック部材においてその一端部のストッパー面と、それを除くベース部とでは相反する性能を持つ必要があり、これら両方の機能を持ち合わせたロック部材を製造することは極めて困難である。
そこで、現実的なロック部材の製造方法としては、カムアームとのロック解除をスムーズに行えるように、ロック部材の全体を弾性変形可能な材料で薄板状に形成する方法しかなかった。そのため、ロック部材とのロック解除が行われずにカムアームを回動させる行為によってストッパー面に強い外力を受けると、ストッパー面がその折り曲げ方向と逆向きへ徐々に変形してピボット耳部から徐々に突出し、最終的には折り曲げ前の形状に戻ってしまった。
それにより、ストッパーとしての機能が著しく低下するため、ロック部材のみを頻繁に交換する必要があり、その分だけ稼働率が低下するという問題があった。
さらに、ロック部材の全体が弾性変形し易いため、比較的に小さな衝撃が発生しても、偶発的にカムアームとロック解除されてしまうおそれがあるという問題があった。
また、ピンによって、レバー形状のカムアームと薄板状のロック部材が僅かな隙間を挟んで平行に並んで配置されるため、作業者が手でカムアームをロック位置に向けて回動すると、勢い余って作業者の掌が変形した薄板状のロック部材の端縁に突き当たって、痛みを感じるという問題もあった。
【０００５】
本発明は、このような問題に対処することを課題とするものであり、簡単な構造でカムアームをロック位置に保持して偶然的なカムアームの回動による不用意な第一連結部材及び第二連結部材の分離を長期間に亘り防止すること、などを目的とするものである。
【課題を解決するための手段】
【０００６】
このような目的を達成するために本発明によるカムアーム式管継手のロック装置は、第一筒状部を有する第一連結部材と、前記第一筒状部に挿入される第二筒状部を有する第二連結部材と、前記第一連結部材に対しロック解除位置及びロック位置に亘って回動自在に設けられ、前記ロック解除位置にある時には前記第一筒状部に対し前記第二筒状部を軸方向へ移動可能にし、前記ロック位置にある時には前記第一筒状部に対し前記第二筒状部を軸方向へ移動不能に結合するカムアームと、前記第一連結部材に対し前記カムアームと並んで設けられるロック部材と、を備え、前記ロック部材は、板状のベース部と、前記ベース部の先端側に前記カムアームと前記ロック位置で係合して回動不能に保持するように設けられる係止部と、前記ベース部の長手方向と交差する基端面に前記第一連結部材と対向するように設けられるストッパー部を有し、前記ストッパー部が前記第一連結部材の表面に当接することで前記ベース部及び前記係止部を移動不能に固定させるようにしたことを特徴とする。
【０００７】
このような目的を達成するために本発明によるロック部材は、第一筒状部を有する第一連結部材と、前記第一筒状部に挿入される第二筒状部を有する第二連結部材と、前記第一連結部材に対しロック解除位置及びロック位置に亘って回動自在に設けられ、前記ロック解除位置にある時には前記第一筒状部に対し前記第二筒状部を軸方向へ移動可能にし、前記ロック位置にある時には前記第一筒状部に対し前記第二筒状部を軸方向へ移動不能に結合するカムアームと、を備えたカムアーム式管継手に対し、前記カムアームと並んで前記第一連結部材に着脱自在に取り付けられるロック部材であって、前記ロック部材は、板状のベース部と、前記ベース部の先端側に前記カムアームと前記ロック位置で係合して回動不能に保持するように設けられる係止部と、前記ベース部の長手方向と交差する基端面に前記第一連結部材と対向するように設けられるストッパー部を有し、前記ストッパー部が前記第一連結部材の表面に当接することで前記ベース部及び前記係止部を移動不能に固定させるようにしたことを特徴とする。
【０００８】
前述した特徴を有する本発明によるカムアーム式管継手のロック装置及びロック部材は、ロック部材と係止部で係合したままカムアームを、ロック位置からロック解除位置に向け回動することに伴って、ロック部材に同方向への強い外力が作用しても、板状のベース部の長手方向と交差する基端面に設けられるストッパー部が第一連結部材の表面に当接し、ベース部はその厚み方向へ圧縮荷重を受けるだけで、ストッパー部の形状は変形せず、ロック部材の全体を移動不能に固定するストッパーとして機能し続ける。
したがって、簡単な構造でカムアームをロック位置に保持して偶然的なカムアームの回動による不用意な第一連結部材及び第二連結部材の分離を長期間に亘り防止することができる。
その結果、ロック部材とのロック解除が行われずにカムアームを回動させる行為でストッパー面に強い外力を受けることにより、ストッパー面がその折り曲げ方向と逆向きに変形してしまう従来のものに比べ、ロック部材の交換時期が延長されて寿命が延び、稼働率の向上が図れるとともに経済的である。
【図面の簡単な説明】
【０００９】
【図１】本発明の実施形態に係るカムアーム式管継手のロック装置及びロック部材の全体構成を示す説明図であり、（ａ）が第一連結部材及び第二連結部材の結合前の一部切欠正面図、（ｂ）が結合後の一部切欠正面図である。
【図２】図１（ｂ）における第一連結部材の一部切欠左側面図である。
【図３】第一連結部材の斜視図である。
【図４】第一連結部材の分解斜視図である。
【図５】本発明の他の実施例に係るカムアーム式管継手のロック装置及びロック部材の全体構成を示す説明図（第一連結部材の一部切欠左側面図）である。
【発明を実施するための形態】
【００１０】
以下、本発明の実施形態を図面に基づいて詳細に説明する。
本発明の実施形態に係るカムアーム式管継手Ａのロック装置は、図１〜図５に示すように、第一の管体Ｂが接続されて第一筒状部１ａを有する雌形の第一連結部材１と、第二の管体Ｃが接続されて第二筒状部２ａを有する雄形の第二連結部材２と、第一連結部材１に回動自在に設けられるカムアーム３と、第一連結部材１に対しカムアーム３と並んで設けられるロック部材４と、を主要な構成要素として備えている。
さらに、カムアーム３及びロック部材４は、カムアーム式管継手Ａの第一連結部材１に対し、後述するピン１ｄを介して着脱自在に取り付けられ、それぞれ交換可能になっている。
【００１１】
雌形の第一連結部材１は、円筒状に形成され、その一端開口には、例えば金属製やその他の材料からなる第一の管体Ｂを着脱自在に接続して可撓性ホースなどが取り付け可能となり、それと反対側で第二連結部材２と対向する他端には、第一筒状部１ａを形成している。
第一連結部材１において第一筒状部１ａの外側には、後述するカムアーム３が回動自在に設けられている。第一連結部材１の外周面において対称となる位置に一対のカムアーム３を配置することが好ましい。
雄形の第二連結部材２は、円筒状に形成され、その一端開口には、例えば金属製やその他の材料からなる第二の管体Ｃを着脱自在に接続して可撓性ホースなどが取り付け可能となり、それと反対側で第一連結部材１と対向する他端には、第一筒状部１ａよりも小径でそれに挿入（嵌入）される第二筒状部２ａを形成している。
第二連結部材２において第二筒状部２ａの外周面には、後述するカムアーム３のカム面３ａと係合する周溝２ｂが形成されている。
第一連結部材１及び第二連結部材２の具体例としては、米国特許第５，２９５，７１７号、米国特許第５，４３５，６０４号明細書などに記載されている。
【００１２】
詳しくは、第一連結部材１の外周面において対称となる位置に、一対のピボット耳部１ｂがそれぞれ突設されるとともに、ピボット耳部１ｂで挟まれた位置には開口部１ｃがそれぞれ開穿される。
ピボット耳部１ｂの間には、後述するカムアーム３が第一連結部材１の軸方向と略平行に配置され、ピボット耳部１ｂ及びカムアーム３の基端部に亘ってピン１ｄを挿通することにより、第一連結部材１に対してカムアーム３が回動自在に枢着され、カムアーム３の回動操作に伴って、カム面３ａが開口部１ｃを貫通して第一筒状部１ａの内周面に向け突出するように配置している。
【００１３】
カムアーム３は、第一連結部材１の第一筒状部１ａに対して第二連結部材２の第二筒状部２ａを軸方向へ挿入又は取り外しを可能にするロック解除位置Ｐ１と、第一連結部材１の第一筒状部１ａに対して第二連結部材２の第二筒状部２ａが挿入されて両者が結合されたロック位置Ｐ２と、に亘って手動操作するためのレバーである。
カムアーム３の基端には、カム面３ａが形成され、その近傍にピン１ｄが貫通する枢支孔３ｂを開穿している。カムアーム３の先端には、リング３ｃを取り付けることが好ましい。
【００１４】
さらに、カムアーム３のカム面３ａは、その回動操作によって、ピン１ｄからカム面３ａまでの半径方向長さが変化するように設計されている。
図１（ａ）に示される例では、カムアーム３がロック解除位置Ｐ１に回動した状態を実線で表している。
ロック解除位置Ｐ１では、カムアーム３が第一連結部材１の径方向外側へ向けて延びるように回動しており、この状態でカム面３ａの径方向内側へ突出量が最小となり、第一連結部材１の開口部１ｃ内に配置されて第一筒状部１ａの内周面に突出せず、第一筒状部１ａの内周面に沿って第二連結部材２の第二筒状部２ａを軸方向へ往復動可能にしている。
【００１５】
また、図１（ｂ）に示される例では、カムアーム３がロック位置Ｐ２に回動した状態を実線で表している。
ロック位置Ｐ２では、カムアーム３が第一連結部材１の径方向外側へ向けて第一連結部材１の一端と軸方向へ略平行に延びるように回動しており、この状態でカム面３ａの径方向内側へ突出量が最大となり、第一連結部材１の開口部１ｃから第一筒状部１ａの内周面に向け突出して第二筒状部２ａの外周面の周溝２ｂと係合し、第一筒状部１ａの内周面に対して第二連結部材２の第二筒状部２ａを軸方向へ移動不能にしている。
さらに、第一連結部材１において第一筒状部１ａの内部には、第二連結部材２において第二筒状部２ａの先端２ｃと対向する環状シール材１ｅが設けられ、図１（ｂ）に実線で示される第一連結部材１と第二連結部材２の結合時には、第二筒状部２ａの先端２ｃが環状シール材１ｅに圧接して環状シール材１ｅを部分的に圧縮変形させることにより、両者間が密閉されている。
【００１６】
ところで、カムアーム３の偶然的な回動は、第一連結部材１の第一筒状部１ａと第二連結部材２の第二筒状部２ａとの結合を解いて、第一の管体Ｂ及び第二の管体Ｃを通る流体が流出する危険性がある。
これを防止するため、ロック部材４によってカムアーム３がロック位置Ｐ２からロック解除位置Ｐ１へ偶然的に回動しないようにロックしている。
【００１７】
ロック部材４は、平板状に形成されるベース部４ａと、ベース部４ａの先端側にカムアーム３の一部とロック位置Ｐ２で係合して回動不能に保持するように設けられる係止部４ｂと、ベース部４ａにおいてその長手方向と交差する厚み方向の基端面に第一連結部材１と対向するように設けられるストッパー部４ｃと、を有している。
さらに、ロック部材４は、ベース部４ａがカムアーム３の一側面３ｄと互いに接して略平行に並ぶようにセットされている。
ロック部材４のセット例としては、図１〜図５に示される場合、ベース部４ａにおいてストッパー部４ｃの近傍に貫通孔４ｄを開穿し、貫通孔４ｄにピン１ｄを遊嵌状に挿通させることにより、ピン１ｄの挿通方向へ所定角度だけ傾動自在に支持している。
また、その他の例として図示しないが、貫通孔４ｄに代えてピン１ｄと嵌合する略Ｃ形の凹部を形成し、この凹部をピン１ｄに対して脱落不能に嵌合させることにより、ピン１ｄの挿通方向へ所定角度だけ傾動自在にロック部材４が支持され、ロック部材４の交換時にはピボット耳部１ｂからピン１ｄを抜き取ることなく、工具などを用いてロック部材４のみが取り外し可能にすることも可能である。
【００１８】
係止部４ｂの具体例としては、図１〜図５に示される場合、カムアーム３の一側面３ｄ又は平面３ｅに向け突出して係合する突起を一体形成している。
ストッパー部４ｃは、第一連結部材１の表面に当接することでベース部４ａ及び係止部４ｂを移動不能に固定させるように配置される。
ストッパー部４ｃの具体例としては、図１〜図５に示される場合、ベース部４ａの基端面を、第一連結部材１の開口部１ｃにおける開口縁と対向するように傾斜させ、この傾斜面を開口部１ｃの開口縁に当接させている。さらに、ベース部４ａを第一筒状部１ａの外周面に接触させて、ロック部材４の回動を阻止することが好ましい。
また、その他の例として図示しないが、係止部４ｂとして突起に代え、カムアーム３の平面３ｅを除く略前面を包み込むよう略コの字形に形成したり、ストッパー部４ｃとして傾斜面に代え、開口部１ｃの開口縁と嵌合する凹状に形成したりすることも可能である。
【００１９】
さらに、ロック部材４は、ベース部４ａの先端側に係止部４ｂと対向してカムアーム３の一側面３ｄや平面３ｅと離隔させる方向へ係止部４ｂを移動させる圧力部４ｅを、有することが好ましい。
圧力部４ｅの具体例としては、図１〜図５に示される場合、ベース部４ａの先端側をカムアーム３の底面３ｆ及び他側面３ｇに沿って断面コの字形に折り曲げ加工し、カムアーム３の他側面３ｇと所定の隙間を空けて対向するように配置される突片を圧力部４ｅとしている。指などで圧力部４ｅをカムアーム３の他側面３ｇに向け押圧して、カムアーム３の一側面３ｄや平面３ｅと離隔させる方向へ係止部４ｂを移動させることにより、少なくともベース部４ａの先端側が傾動して、係止部４ｂがカムアーム３の一側面３ｄ又は平面３ｅから外れるようにしている。
また、その他の例として図示しないが、圧力部４ｅを設けずに作業者が直接的にカムアーム３を持って回動させることにより係止部４ｂから外れるように構成することも可能である。
【００２０】
ロック部材４の近傍には、ベース部４ａをカムアーム３側に押圧する弾性変形可能な弾性手段５を、ロック部材４に沿って設けることが好ましい。
弾性手段５の具体例としては、図１〜図５に示される場合、弾性手段５として、例えば波形座金やバネ座金などからなるバネ材をロック部材４と別個に用意し、弾性手段５となるバネ材を、ベース部４ａの基端側とそれに隣り合うピボット耳部１ｂの間に挟み込むとともに、ピン１ｄを挿通させるなどして脱落不能に取り付けることにより、ロック位置Ｐ２で係合するロック部材４をカムアーム３側に押圧して、偶発的なロック解除を防止している。さらに、圧力部４ｅの押圧操作に伴い弾性手段５となるバネ材が弾性変形してベース部４ａの全体を傾動可能に支持している。
また、その他の例として図示しないが、弾性手段５となるバネ材をロック部材４の基端側に固着することで一体化したり、ロック部材４の基端側を加工することで弾性手段５が一体形成されるように構成したり、弾性手段５を設けずにロック部材４のベース部４ａを弾性変形させることで、ベース部４ａの先端側をカムアーム３から離隔する方向へ傾動させることも可能である。
【００２１】
そして、本発明の実施形態に係るカムアーム式管継手Ａのロック装置によると、図１（ｂ）に実線で示されるように、カムアーム３をロック位置Ｐ２に回動させることにより、カムアーム３の一部がロック部材４と係止部４ｂで係合して、カムアーム３がロック位置Ｐ２からロック解除位置Ｐ１へ偶然的に回動しないようにロックしている。
このロック状態で不慣れな作業者が、ロック部材４と係止部４ｂで係合したままカムアーム３を、ロック位置Ｐ２からロック解除位置Ｐ１に向け回動し、これに伴って、ロック部材４に同方向への強い外力が作用しても、平板状のベース部４ａの長手方向と交差する基端面に設けられるストッパー部４ｃが第一連結部材１の表面に当接し、ベース部４ａはその厚み方向へ圧縮荷重を受けるだけで、ストッパー部４ｃの形状は変形せず、ロック部材４の全体を移動不能に固定するストッパーとして機能し続ける。
したがって、簡単な構造でカムアーム３をロック位置Ｐ２に保持して偶然的なカムアーム３の回動による不用意な第一連結部材１及び第二連結部材２の分離を長期間に亘り防止することができる。
その結果、ロック部材４の交換時期が延長されて寿命が延び、稼働率の向上が図れるとともに経済的である。
【００２２】
特に、ロック部材４が、ベース部４ａの先端側に係止部４ｂと対向してカムアーム３と離隔させる方向へ係止部４ｂを移動させる圧力部４ｅを有し、ロック部材４に沿って、ベース部４ａをカムアーム３側に押圧する弾性手段５が設けられる場合には、弾性手段５でベース部４ａがカムアーム３へ向けて弾性的に押圧されるため、ロック位置Ｐ２で係合するロック部材４の係止部４ｂがカムアーム３から外れない。
したがって、偶発的なロック解除を防止することができる。
その結果、比較的に小さな衝撃が発生しても、ロック部材の全体が弾性変形して偶発的にカムアームとロック解除されるおそれがある従来のものに比べ、安全性を向上させることができる。
さらに、圧力部４ｅを押圧してカムアーム３と離隔させる方向へ係止部４ｂを移動させることにより、弾性手段５が弾性変形するように構成した場合には、弾性手段５の弾性変形に伴って、ベース部４ａの先端側がカムアーム３から離隔させる方向へ傾動するため、係止部４ｂがカムアーム３から外れる。
したがって、ロック部材４を弾性変形させることなくカムアーム３とロック解除することもできる。
その結果、ロック部材４の全体を変形し難い材料で形成でき、更にロック部材４の寿命を延ばすことができる。
次に、本発明の各実施例を図面に基づいて説明する。
【実施例１】
【００２３】
この実施例１は、図１（ａ）（ｂ）〜図４に示すように、カムアーム３がロック位置Ｐ２においてロック部材４を覆うように突出形成される平滑面部３ｈを有し、それによって作業者の掌と接触するカムアーム３の操作面を広くするものである。
図１（ａ）（ｂ）〜図４に示される例では、ロック位置Ｐ２へ回動操作する際に接触するカムアーム３の平面３ｅにおいて、平滑面部３ｈをロック部材４と対向する一側端だけでなく、反対側の他側端もそれぞれ突出形成させて断面略Ｔ字形に成形している。
また、その他の例として図示しないが、カムアーム３の平面３ｅにおいて、ロック部材４と対向する一側端のみがロック部材４を覆うように平滑面部３ｈを突出形成させて断面略Ｌ字形に成形することも可能である。
【００２４】
そして、図１（ａ）（ｂ）〜図４に示される例では、第一連結部材１の一端開口に、第一の管体Ｂを接続するための接続手段１ｆとして内ネジが設けられ、この内ネジに螺合する外ネジ管（図示しない）を第一の管体Ｂに挿着することにより、第一連結部材１の一端開口に対して第一の管体Ｂが着脱自在に接続されている。第二連結部材２の一端開口には、第二の管体Ｃを接続するための接続手段２ｄとして内ネジが設けられ、この内ネジに螺合する外ネジ管（図示しない）を第二の管体Ｃに挿着することにより、第二連結部材２の一端開口に対して第二の管体Ｃが着脱自在に接続されている。
また、その他の例として図示しないが、第一連結部材１の一端開口に設けられる接続手段１ｆとして内ネジに代え、外ネジを突設してそれに螺合する内ネジ管が挿着された第一の管体Ｂを着脱自在に接続したり、接続手段１ｆとして竹の子ニップルを一体に突設することで、可撓性ホースなどを着脱自在に接続したり、第二連結部材２の一端開口に設けられる接続手段２ｄとして内ネジに代え、外ネジを突設してそれに螺合する内ネジ管が挿着された第二の管体Ｃを着脱自在に接続したり、接続手段２ｄとして竹の子ニップルを一体に突設することで、ホースなどの可撓性がある管体を着脱自在に接続したり、第一の管体Ｂ及び第二の管体Ｃとして竹の子ニップルを接続することで、可撓性ホースなどをそれぞれ取り付けるなど、変更することも可能である。
【００２５】
さらに、図１（ａ）（ｂ）〜図４に示される例では、ベース部４ａの先端側を部分的にプレス加工することにより、ロック部材４の係止部４ｂとして突起を、カムアーム３の一側面３ｄに向け一体形成し、これと対向するカムアーム３の一側面３ｄには、係止部４ｂとなる突起と係合する第二係止部３ｉとして凹部を形成している。
【００２６】
このような本発明の実施例１に係るカムアーム式管継手Ａのロック装置によると、作業者の掌と接触する操作面の面積が広がるため、カムアーム３の回動操作時において、カムアーム３の操作面が掌に食い込み難くなる。
したがって、カムアーム３の回動操作を軽くしてレバー操作し易くすることができるという利点がある。
さらに、カムアーム３をロック位置Ｐ２まで回動することにより、カムアーム３の平滑面部３ｈでロック部材４が覆われるため、作業者の掌が勢い余ってロック部材４の端縁に突き当たることがない。
したがって、カムアーム３をロック位置Ｐ２まで回動した時に、掌に痛みを感じることがなく、安全に操作することができるという利点がある。
【００２７】
特に、図１（ａ）（ｂ）〜図４に示されるように、カムアーム３の平面３ｅにおいてロック部材４と対向する一側端だけでなく、反対側の他側端もそれぞれ平滑面部３ｈを突出形成させて断面略Ｔ字形に成形した場合には、カムアーム３をロック位置Ｐ２まで回動する際に、掌との接触面積が大きくなるため、カムアーム３の回動操作時において、カムアーム３の平面３ｅが掌に食い込むことなく、カムアーム３の回動操作が更に軽くなって、よりスムーズに回動操作できるという利点がある。
【実施例２】
【００２８】
この実施例２は、図５に示すように、ロック部材４の係止部４ｂとして、ロック部材４からカムアーム３の平面３ｅに向け突出して係合する凸部４ｂ′を形成し、圧力部４ｅの押圧によって係止部４ｂとなる凸部４ｂ′を、カムアーム３の平面３ｅから外れるようにした構成が、図１〜図４に示した実施例１とは異なり、それ以外の構成は図１〜図４に示した実施例１と同じものである。
図５に示される例では、ロック部材４のベース部４ａの先端側からカムアーム３の平面３ｅに向けて折り曲げ加工することにより、係止部４ｂとなる凸部４ｂ′が形成されている。
このような本発明の実施例２に係るカムアーム式管継手Ａのロック装置によると、カムアーム３でロック部材４を覆うことはできないが、前述した実施例１と同様に、簡単な構造でカムアーム３をロック位置Ｐ２に保持して偶然的なカムアーム３の回動による不用意な第一連結部材１及び第二連結部材２の分離を長期間に亘り防止することができる。
【００２９】
なお、ロック部材４の係止部４ｂは、前示した実施例及び図示例に限定されず、それ以外の形状に形成しても良い。
【符号の説明】
【００３０】
Ａ  カムアーム式管継手                    １  第一連結部材
１ａ  第一筒状部                          ２  第二連結部材
２ａ  第二筒状部                          ３  カムアーム
３ｈ  平滑面部                            ４  ロック部材
４ａ  ベース部                            ４ｂ  係止部
４ｃ  ストッパー部                        ４ｅ  圧力部
５  弾性手段                              Ｐ１  ロック解除位置
Ｐ２  ロック位置
【図１】
2014047832.tif 000003
【図２】
2014047832.tif 000004
【図３】
2014047832.tif 000005
【図４】
2014047832.tif 000006
【図５】
2014047832.tif 000007